(57)【特許請求の範囲】
【請求項１】
アンテナ及び時計装置を内蔵する非導電性のケースと、
前記ケースの外側に取り付けられた、複数の導電性の外装部と、
複数の前記外装部における、接触して環状の導通を生ずる少なくとも２つの間を電気的に絶縁する絶縁手段と、
を備える電波時計。
【請求項２】
請求項１に記載の電波時計であって、
複数の前記外装部が、前記アンテナを包囲するように配置される電波時計。
【請求項３】
請求項２に記載の電波時計であって、
前記絶縁手段が、複数の前記外装部が前記アンテナを環状に囲んで導通しないように、それらの少なくとも２つの間を絶縁する電波時計。
【請求項４】
請求項３に記載の電波時計であって、
前記アンテナは、磁芯部材とこの磁芯部材に巻かれたコイルとよりなるバーアンテナであり、
前記絶縁手段が、複数の前記外装部が前記磁芯部材の軸線を内側に通す環状に導通しないように、それらの少なくとも２つの間を絶縁する電波時計。
【請求項５】
請求項１から３のいずれかに記載の電波時計であって、
少なくとも１つの前記外装部に、前記アンテナの受信を確保するための、少なくとも１つの開口部を備える電波時計。
【請求項６】
請求項５に記載の電波時計であって、
前記外装部に設けられた前記開口部が、その前記外装部の外縁を開くように切り欠けられた切り欠け部を備える電波時計。
【請求項７】
請求項６に記載の電波時計であって、
前記アンテナは、磁芯部材とこの磁芯部材に巻かれたコイルとよりなるバーアンテナであり、
前記開口部が、前記バーアンテナの前記磁芯部材の軸線上に設けられる軸線上開口部である電波時計。
【請求項８】
請求項１から７のいずれかに記載の電波時計であって、
前記ケース内に収納された文字板が非導電性材料からなる電波時計。
【請求項９】
請求項１から７のいずれかに記載の電波時計であって、
前記絶縁手段が、複数の前記外装部における少なくとも２つを隔離する手段である電波時計。
【請求項１０】
請求項９に記載の電波時計であって、
前記絶縁手段が、複数の前記外装部における少なくとも２つを、隙間を開けて前記ケースに取り付けることを含む電波時計。
【請求項１１】
請求項９に記載の電波時計であって、
前記絶縁手段が、複数の前記外装部における少なくとも２つの間に介在される、非導電性の絶縁部を含む電波時計。
【請求項１２】
請求項１１に記載の電波時計であって、
前記絶縁部が、前記ケースと別体の絶縁部材であり、複数の前記外装部における少なくとも２つの間に挟持される電波時計。
【請求項１３】
請求項１１に記載の電波時計であって、
前記絶縁部が、複数の前記外装部における少なくとも２つの間に介在される、前記ケースに形成された絶縁突起を含む電波時計。
【請求項１４】
請求項１１に記載の電波時計であって、
前記絶縁部が、電波時計に取り付けられたバンドと相対する位置に配置される電波時計。
【請求項１５】
請求項１１に記載の電波時計であって、
前記絶縁部が、前記外装部に設けられた、電波時計を身体に装着するためのバンドを連結する２つの脚部の間に配置される電波時計。
【請求項１６】
請求項１１に記載の電波時計であって、
前記絶縁部が、前記外装部に設けられた、外方に突出する突出部の下方に配置される電波時計。
【請求項１７】
請求項１から１６のいずれかに記載の電波時計であって、前記ケースの外表面の露出面積が、前記外装部の外表面の面積より小さい電波時計。
【請求項１８】
請求項１から１６のいずれかに記載の電波時計であって、複数の前記外装部が前記ケースの上面、側面、および下面を覆う電波時計。
【請求項１９】
請求項１８に記載の電波時計であって、
前記外装部が、前記ケースの上面に配置される上部外装部と、前記ケースの下面に配置される下部外装部とを備える電波時計。
【請求項２０】
請求項１９に記載の電波時計であって、
前記上部外装部と前記下部外装部の少なくともいずれか一方に、前記ケースの側面を覆う側面部を備える電波時計。
【請求項２１】
請求項５に記載の電波時計であって、
前記外装部が、前記ケースの上面に配置される上部外装部と、前記ケースの下面に配置される下部外装部とを備え、
前記上部外装部と前記下部外装部の少なくともいずれか一方が、前記ケースの側面を覆う側面部を備え、
前記外装部の前記開口部が、前記側面部に形成された電波時計。
【発明の詳細な説明】
【０００１】
【発明の属する技術分野】
本発明は、時刻情報を含む所定の電波を受信して時刻を表示する電波時計に関する。
【０００２】
【従来の技術】
標準電波等を受信する電子時計、すなわち時刻情報を含む標準電波(搬送波)を受信し、この電波から時刻情報を取り出すことにより、正確な時刻を得ることのできる電波時計はすでに知られている。この時刻情報を含む電波は、各国毎に周波数が異なり、例えば日本では郵政省の管轄下において、４０ｋＨｚの標準電波が発信されている。
図１は、このような電波時計の機能の概略を示す一例である。
この電波時計は、アンテナ１、電波時計受信機２、ＣＰＵ３、および表示駆動部４から構成される。その他図示していないが時分針または液晶等による表示部が含まれる。
【０００３】
アンテナが時刻情報を含む電波を受信する。そして、電波時計受信機が、アンテナで受信した電波を増幅検波することにより、電波から時刻情報を取り出して出力する。受信機から出力された時刻情報に基づき、ＣＰＵが現在時刻データを出力する。ＣＰＵから出力された現在時刻データに基づき、表示駆動部が表示部に現在時刻を表示する。
ＣＰＵに対して、たとえばリセット等の操作情報を入力するための入力装置５が備えられてもよい。
【０００４】
電波に含まれている時刻情報(タイムコード)は、６０秒周期のパルス信号であり、１秒ごとに、２００、５００、８００(msec)のいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報(現在時刻)を取得する。そして、ＣＰＵは、取得した時刻情報により、表示駆動部４を介して表示部における表示時刻を修正する。
よって、電波時計は、受信した時刻情報に基づき、表示時刻が所定間隔毎に修正されることにより、常に正確な時刻を表示できる。
【０００５】
このような電波時計として、アンテナ、電波時計受信機、ＣＰＵ、表示駆動部および表示部を、アンテナ収納体であるケースの中に収納した腕時計が、すでに提供されている。このケースの素材には、アンテナが電波を受信するために合成樹脂やセラミックなどの非伝導性材料が主として用いられてきた。
即ち、金属などの伝導材料からなるケース内部にアンテナを収納すると、アンテナからの磁界によって、金属ケースに起電力が発生して、ケースに電流が誘起される。その電流により磁界が乱れて、アンテナが標準電波を受信できなくなるほどに、アンテナの受信機能が低下してしまうからである。
【０００６】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。
このため、ケースに金属を用いた電波腕時計が提案されている。
【０００７】
図２は、ケースの一部に金属を用いた電波腕時計の構造の一例を示す。
この腕時計のケース１０は、胴１１と裏蓋１２と風防１３とから概略構成されている。図示しないバンドに連結された胴内部に、ムーブメント１４が公知の手段で配置されている。ムーブメントの上方には、時刻表示部である文字板１５と針１６が、同じく公知の手段で配置されている。そして、ムーブメントの下方で、かつ裏蓋の上方に位置して、磁気長波アンテナであるバーアンテナ１７が配置されている。このバーアンテナは、フェライト材からなる磁芯部材１８と、この磁芯部材に巻回されたコイル２０とよりなり、合成樹脂製の保持部材の上面に固定されている。
【０００８】
ムーブメント１４は、前述した電波時計受信機、ＣＰＵ、および表示駆動部を備え、導線２１によってバーアンテナ１７と電気的に導通される。従って、バーアンテナが受信した標準電波に基づいて、ムーブメントのＣＰＵが、表示駆動部における、図示しないギア機構を動作させて、表示部の針１６の位置を常に修正するように駆動する。
なお、ここで、上下方向とは、図２における上下を基準とする。
【０００９】
胴１１は導電材料で中空でない、即ちソリッド金属、たとえばソリッドステンレスからなる。胴の最上部には、非導電材料であるガラスからなる風防１３が、接着等の公知の手段で固定される。文字板１５は、非導電材料である合成樹脂やセラミックなどからなる。裏蓋１２は、胴１１に固定されたステンレスからなる環状の縁枠２２と、縁枠内に固定されたガラス２３とからなる。
このように、この腕時計は、ケースの上下面には非導電材料が視認されるものの、ケースの側面部分を金属で構成しているため、装身具としての高級感や美観を損なわないという利点がある。
【００１０】
【発明が解決しようとする課題】
しかしながら、図２に示される腕時計は、ケースの胴に金属を採用しているため、金属部材のそばにアンテナを配置するという不利は避けられない。従って、ケースの全てを非導電材料で構成した場合に比較すれば、この腕時計のバーアンテナの受信性能は４０％近く低下してしまう。そのため、標準電波の送信局からの距離が遠い場所などのように、標準電波を受信しにくい環境下にあっては、この電波腕時計は、しばしば標準電波を受信できない。
【００１１】
また、バーアンテナの受信性能に障害が生じないように、金属胴の内壁とアンテナとの隙間を大きくすると、ケースが、手首に装着するには不釣り合いなほど、大きくなってしまうという問題がある。
このような問題を解決する手段として、胴を非導電材料で構成し、胴の上下に金属などの導電材料からなる外装部を配設してバーアンテナの受信性能を向上させるようにした構造が考えられる。
しかしながら、上下外装部が導通すると、そこに環状の電流が発生し、アンテナの受信性能を著しく低下させると言う問題が生ずる。
そこで本発明の目的は、アンテナの受信性能を低下させることなく、しかも金属感のある外観を有する電波時計、信号受信装置を提供することにある。
【００１２】
【課題を解決するための手段】
本発明の請求項１における電波時計は、アンテナ及び時計装置を内蔵する非導電性のケースと、ケースの外側に取り付けられた、複数の導電性の外装部と、複数の外装部における、接触して環状の導通を生ずる少なくとも２つの間を電気的に絶縁する絶縁手段と、を備えることを特徴とする。
【００１３】
この構成によれば、アンテナを収容するケースは、非導電性であり、ケースの外側を覆う外装部が金属などの導電性である。よって、ケースそのものが導電性材料である場合と比べ、アンテナと導電性材料との距離を大きくできるので、アンテナの受信障害を減ずることができ、アンテナが良好に電波を受信できる電波時計を提供することができる。
【００１４】
また、ケースを大きくすることなく、アンテナと導電性材料との距離を大きくできるので、従来に比べてケースを小さくすることができる。
【００１５】
さらに、金属などの導電性の外装部により、電波時計に金属感のある外観が付与される。これにより、たとえば、あたかもケースが金属の無垢であるように視認されるので、合成樹脂などの非導電性材料をケースに用いながらも、高級感や美観を損なわない。
なお、ここで、外装部とは、塗装、物理的めっき、あるいは化学的めっきなどのようなコーティングではなく、ケースと別体の部材を意味する。
【００１６】
特に、複数の外装部における、少なくとも２つの間を電気的に絶縁する絶縁手段を備えたので、外装部に誘起される環電流に起因して、アンテナの受信機能が劣化することが回避される。
【００１７】
また、本発明の電波時計は、請求項２に記載された通り、
複数の外装部が、アンテナを包囲するように配置されることが好ましい。
これにより、ケースの外側が広い面積にわたって外装部に覆われるので、電波時計にさらに金属感のある外観が付与される。
【００１８】
この場合、請求項３に記載された通り、
絶縁手段が、複数の外装部がアンテナを環状に囲んで導通しないように、それらの少なくとも２つの間を絶縁することが、アンテナが良好に電波を受信するためには好ましい。
【００１９】
アンテナが、磁芯部材と磁芯部材に巻かれたコイルとよりなるバーアンテナであれば、請求項４に記載された通り、
絶縁手段が、複数の外装部が磁芯部材の軸線を内側に通す環状に導通しないように、それらの少なくとも２つの間を絶縁することが、アンテナが良好に電波を受信するためには好ましい。
【００２０】
また、本発明の電波時計は、請求項５に記載された通り、
少なくとも１つの外装部に、アンテナの受信を確保するための、少なくとも１つの開口部を備えることができる。
【００２１】
この外装部に設けられた開口部は、請求項６に記載された通り、
その外装部の外縁へ開くように切り欠けられた切り欠け部を備えることが、アンテナの良好な受信を確保するためには好ましい。
【００２２】
アンテナが、磁芯部材と磁芯部材に巻かれたコイルとよりなるバーアンテナであれば、開口部は、請求項７に記載された通り、
開口部が、磁芯部材の軸線上に設けられる軸線上開口部を備えると、アンテナの良好な受信が確保される。
【００２３】
また、本発明の電波時計における絶縁手段は、請求項９に記載された通り、
複数の外装部における少なくとも２つを隔離する手段とすることができる。従って、外装部が互いに接触しないので、それらが電気的に絶縁される。
【００２４】
この場合、絶縁手段は、請求項１０に記載された通り、
複数の外装部における少なくとも２つを、隙間を開けてケースに取り付けるようにすれば達成される。
【００２５】
あるいは、絶縁手段は、請求項１１に記載された通り、
複数の外装部における少なくとも２つの間に介在される、非導電性の絶縁部を含むことができる。
【００２６】
絶縁部は、請求項１２に記載された通り、
ケースと別体の絶縁部材であれば、複数の外装部における少なくとも２つの間に挟持されるように構成できる。これにより、絶縁部材が外装部の間に強固に取り付けられると共に、外装部の間が確実に絶縁される。
【００２７】
あるいは、絶縁部は、請求項１３に記載された通り、
複数の外装部における少なくとも２つの間に介在される、ケースに形成された絶縁突起とすることもできる。従って、外装部の間が確実に絶縁されるばかりか、ケースと絶縁部が一体なので、電波時計の組み立てが容易である。
【００２８】
また、絶縁部を、請求項１４に記載された通り、
電波時計に取り付けられたバンドと相対する位置に配置されるようにすれば、絶縁部がバンドに隠されて視認されにくいので、電波時計の美観を損ねることがない。
【００２９】
また、絶縁部を、請求項１５に記載された通り、
外装部に設けられた、電波時計を身体に装着するためのバンドを連結する２つの脚部の間に配置されるようにすれば、絶縁部が脚部に隠されて視認されにくい。
【００３０】
また、絶縁部を、請求項１６に記載された通り、
外装部に設けられた、外方に突出する突出部の下方に配置されるようにすれば、絶縁部が突出部に隠されて視認されにくい。
【００３１】
また、本発明の電波時計は、請求項１７に記載された通り、
絶縁部の露出面積が、外装部の外表面の面積より小さいことが、電波時計に金属感を付与するためには好ましい。
【００３２】
また、本発明の電波時計は、請求項１８に記載された通り、
複数の外装部がケースの上面、側面、および下面を覆うことができる。すると、ケースの上面や側面の外観ばかりか、下面の外観にも金属感が付与された電波時計が得られる。
【００３３】
また、本発明の電波時計は、請求項１９に記載された通り、
外装部が、ケースの上面に配置される上部外装部と、ケースの下面に配置される下部外装部とを備えることができる。すると、ケースの上面ばかりか、下面をも、外装部で容易に覆うことができる。
このとき、請求項２０に記載された通り、上部外装部と下部外装部の少なくとも一方に、ケースの側面を覆う側面部を設けることが好ましい。
【００３４】
【発明の実施の形態】
図３は本発明を腕時計に適用した第１実施形態を上部より見た分解斜視図、図４は下部より見た分解斜視図、図５は上部より見た斜視図、図６は下部から見た斜視図、図７は腕時計の１２時６時線に沿う断面図、図８は３―９時線に沿う断面図である。
【００３５】
本発明による腕時計は、アンテナ収納体としての腕時計ケース２５と、その上部に固定された上部外装部２６と下部に固定された下部外装部２７を有する。ケース２５は胴３０、裏蓋３１、風防３２よりなり、胴３０及び裏蓋３１は合成樹脂、ゴム、セラミック等の非導電性材料で作られ、風防３２は非導電性材料のガラス又は合成樹脂で作られ、図７に示すように胴３０の段部３０ａにパッキン３９を介して圧入固定されている。
【００３６】
胴３０は平面視長方形の角筒状で図５に示すように長辺より竜頭３４が突出している。ケース内には図７、８に示すように時刻表示部としての文字板３５、指針３６、ムーブメント３７、バーアンテナ３８が収納されている。文字板３５は合成樹脂、セラミック、ガラス等の非導電性材料からなり、胴３０の段部４０とムーブメント３７の上面に挟まれて支持されている。ムーブメント３７は下部が小さく広い段部４１が形成されている。裏蓋３１は図１２、１３に示すように内側に環状突起４３を有し、ねじ４２でパッキン４６を介して胴に固定され（図１２）、環状突起４３の頂部がムーブメント３７の段部４１を押し上げ、ムーブメントと文字板を胴３０の段部４０に押圧固定している（図８、図１２）。
【００３７】
バーアンテナ３８は磁芯部材４４とそれに巻かれたコイル４５とよりなり、図１３に示すように胴３０の短辺に平行に広い段部４１の下に接着され、即ちバーアンテナはケース内の下部の低位置に収納されている。
【００３８】
胴３０はムーブメント３７、文字板３５、針３６及び風防３２を収納する為、軸線方向に大きな厚みを有している。
【００３９】
図３、４に示すように胴３０の外壁下部における、胴３０の対向両長辺に、絶縁部である突条５０ａと５０ｂ、及び挿入部５１が突設される。挿入部５１は、突条５０ａ、５０ｂと連続して形成される。また、胴３０の外壁下部における、胴３０の対向短辺に、対称的にＬ形突条５０ｃ、５０ｄが突設される。各突条５０ａ、５０ｂ、５０ｃ、５０ｄは、胴３０の外壁に連続して形成され、各突条５０ａ、５０ｂ、５０ｃ、５０ｄの上に段部５２が形成されている。各突条の表面と挿入部の表面は同じ高さになっている。挿入部５１は図１３に示すようにバーアンテナ３８の軸線ＡＸに対向して配置され、この部分を厚肉としている。胴３０の上面には、図３に示すように後述の上部外装部２６の為の長方形の環状突出挿入部５３が形成されている。
裏蓋３１の下面には図４に示すように、下部外装部２７の為の長方形の突出挿入部５４が形成され、之を囲んで凹部５５が設けられている。
【００４０】
一方、上部外装部２６は図３、４に示すように外周壁５６、上面開口部５７及び胴の挿入部５１が挿入する側面開口部５８が形成されている。即ち挿入部５１と開口部５８はほぼ相似形である。更に短辺の上部より突出部６０が設けられている。側面開口部５８の下辺は切り欠かれて切欠５８ａが形成され、この切欠により、開口部を囲む環状の電流の発生を防ぎ、アンテナの受信能力の低下を防ぐことができる。
また、下部外装部２７は下面開口部６１、短辺より立上る固定板６３及びそれより突出する一対の連結脚６２を有する。
【００４１】
次に、全体の組立方法について説明する。図３において下部外装部２７の固定板６３が胴３０の短辺に嵌められ、図５に示すように連結脚６２がＬ形突条５０ｃ、５０ｄの間に挿入される。更に裏蓋３１の挿入部５４が開口部６１に係合し、開口部の枠部が凹部５５に挿入される。そして下部外装部２７はねじ６５により胴３０に固定される。
【００４２】
次に、絶縁部の１つであり、胴３０と別体であり、棒状の非導電性の絶縁部材６６が、Ｌ形突条５０ｃ、５０ｄ上に載せられる。絶縁部材の素材には、ケースと同様の材料を用いることができるが、柔軟な合成樹脂を用いることが好ましい。絶縁部材６６を挟んで上部外装部２６が胴３０に被せられる。これにより、開口部５７に胴３０の上面挿入部５３が挿入され、開口部５８に挿入部５１が挿入される。また突出部６０が連結脚６２の間に挿入される。
次に、ねじ６７により上部外装部２６は胴に固定され組立が完了する。図５において、バンド７０は連結脚６２にピン７０ａで連結される。
【００４３】
図示されるように、上下外装部２６、２７は、互いに隙間をもって接触しないように、ケース２５に取り付けられる。
特に、上下外装部２６と２７の隙間に、絶縁部である突条５０ａ、５０ｂ、５０ｃ、５０ｄを介在させたため、上下外装部２６と２７を互いに接近させるような外力が外装部に負荷されようとも、上下外装部２６と２７の接触が確実に阻止される。同様に、上下外装部２６と２７の間に、絶縁部材６６が上下に挟持されるため、上下外装部２６と２７の接触が確実に阻止される。
【００４４】
また、図１０に示すように、突出部６０は連結脚６２に接触しない。水平方向、すなわち図１０における左右方向に沿って、突出部６０と連結脚６２が互いに接近することを、Ｌ形突条５０ｃ、５０ｄが阻む。詳しくは、Ｌ形突条５０ｃ、５０ｄにおける上下方向、すなわち図１０における上下方向に沿って延出する部分が、突出部６０と連結脚６２の接触を確実に阻止する。
このように、上下外装部２６、２７は、互いに隔離してケース２５に取り付けられ、互いの絶縁が確保される。従って、アンテナ３８を囲む環状の電流の発生を防ぎアンテナの受信能力の低下を防いでいる。
【００４５】
組立状態においては、図６乃至図１０に示すように胴３０の挿入部５１、突条５０ａ〜５０ｄの外壁は上部外装部２６の外壁と同一平面で接続し段差がない。また、下部外装部２７の下面も裏蓋３１の下面と同一平面となっている。従って、腕時計の装着時に使用者の肌を傷つけることがない。また、電波時計の外観が良くなり、装身具や装飾品としての価値が高まる。
図示されたように、金属からなる外装部２６，２７の間から、合成樹脂であるケース２５の一部分が露出して視認される。このケース２５の露出面積が小さいほど、すなわち、外装部の占める面積が大きいほど、電波時計の外観に、より効果的な金属感が与えられる。よって、ケース２５を覆う外装部２６，２７の外表面の面積が、ケース２５の露出面積より大きいことが好ましい。
【００４６】
また、突出部６０の下方に配置された絶縁部材６６は、外装部より外方に延出した突出部６０によって隠される。また、一対の連結脚６２の間に配置された絶縁部材６６は、連結脚６２に連結されたバンド７０と相対して、バンド７０によって隠される。このようにすると、絶縁部材６６が視認されにくくなるので、電波時計の外観が良くなる。さらに、突出部６０とバンド７０に保護されて、絶縁部材６６をケースから外すような外力が、絶縁部材６６に負荷されない。よって、絶縁部材６６がケースに強固に取り付けられる。
また、外装部２６，２７を胴３０に取り付ける固定手段として、ねじを用いたが、固定手段はこれに限定されることはなく、圧接や接着などの他の固定手段を用いることもできる。
【００４７】
図９、１３に示すようにアンテナ３８の磁芯部材４４の軸線ＡＸの延長上には上下外装部２６、２７は存在しない。これを達成するために、図示された例では、上部外装部２６における軸線ＡＸの延長上に、２つの対向する軸線上開口部５８が設けられたが、このような開口部が下部外装部に設けられてもよい。
また、外装部には開口部５７、６１が設けられ、図１４に示すように磁芯部材４４の軸線を含む少なくとも１つの平面、特に軸線を通る上下方向の平面７３に沿って、バーアンテナが平行に投影される部分には外装部が配置されていない。図示された例では、軸線投影開口部５７および６１が、軸線を通る上下方向の平面７３に沿って設けられたが、軸線ＡＸを通る、上下方向以外の平面に沿って、軸線投影開口部が外装部に設けられてもよい。あるいは、軸線ＡＸを通る、複数の平面に沿って、図示された例より、さらに多くの軸線投影開口部が外装部に設けられてもよい。
【００４８】
以上の構成により、導電性の外装部を用いながらも外装部に誘起される電流に起因するアンテナの受信機能が劣化することが回避される。
また、上下外装部２６及び２７は、互いに隔離してケース２５に配置され、さらに、絶縁部、詳しくは突条５０ａ、５０ｂ、５０ｃ、５０ｄと絶縁部材６６の介在によって、より確実に外装部２６及び２７との短絡が防止され、環状電流による大幅な受信機能低下が阻止される。
以上の図示された例では、アンテナ３８を囲むように配置された２つの外装部２６と２７を例示したが、３つ以上の外装部がアンテナ３８を囲むように配置されてもよい。この場合、３つ以上の外装部における、少なくとも２つの間を同様に絶縁し、アンテナ３８を囲んで外装部が環状に電気的に導通することがないようにすれば、アンテナ３８の受信機能が低下しない。
【００４９】
図１５は本発明の第２実施形態を示す分解斜視図、図１６はケースの上部斜視図、図１７はケースの下部斜視図、図１８は組立てられた腕時計の下部斜視図である。
前記の第１実施形態では、下部外装部に設けられた開口部６１はケースに対し大きな面積を有している。そこで実験により開口部が最小限如何なる面積まで減少できるかを求めた結果によるものが、第２実施形態である。
【００５０】
以下、第１実施形態と異なる部分について説明し、同一部分にはそれと同一符号を付して説明を省略する。
第１実施形態におけるＬ形突条５０ｃ、５０ｄは図１６に示すように上部が連結されて一体となって絶縁突起６９となり、前記の絶縁部材６６が省略されている。
【００５１】
図１５に示すように下部外装部７１に一対の開口部７２が形成されている。この開口部７２は図２０に示すように、少なくともバーアンテナ３８の磁芯部材４４の露出部の下方投影部を含む部分に形成されている。即ち、磁芯部材の露出端部が投影された影の大きさ以上の大きさで開口することがアンテナの良好な受信を確保するために好ましい。
【００５２】
一方、裏蓋７５の下面には図１５、１７に示すように、開口部７２に挿入される一対の挿入部７６が形成され、また下部外装部７１が挿入される凹部７７が形成されている。
その他の形状構造は第１実施形態と同じで、組立方法も同じであるので、説明を省略する。
【００５３】
【発明の効果】
本発明によれば、アンテナを収容するケースは、非導電性であり、ケースの外側を覆う外装部は金属などの導電性である。従って、ケースそのものが導電性材料である時計と比べ、アンテナと導電性材料との距離を大きくできるので、アンテナの受信障害が生じにくく、アンテナが良好に電波を受信できる電波時計を提供することができる。
【００５４】
また、ケースを大きくすることなく、アンテナと導電性材料との距離を大きくできるので、従来に比べてケースを小さくすることができる。
【００５５】
さらにまた、金属などの導電性の外装部により、電波時計に金属感のある外観が付与される。これにより、たとえば、あたかもケースが金属の無垢であるように視認されるので、合成樹脂などの非導電性材料をケースに用いながらも、高級感や美観を損なわない。
なお、ここで、外装部とは、塗装、物理的めっき、あるいは化学的めっきなどのようなコーティングではなく、ケースと別体の部材を意味する。
【００５６】
更に、複数の外装部がケースの上面、側面、および下面を覆うように構成できる。
これにより、ケースの上面や側面の外観ばかりか、下面の外観にも金属感が付与された電波時計が得られる。
このように金属等の導電性の外装部を備えて金属感が与えられているにも拘わらず絶縁手段により環状の導通の発生を防ぎ、アンテナの受信能力低下を防ぎ、時計の精度を確保することができる。
【図面の簡単な説明】
【図１】電波時計の機能の概略を示すブロック図である。
【図２】ケースの一部に金属を用いた電波腕時計を示す断面図である。
【図３】本発明を腕時計に適用した第１実施形態を上部より見た分解斜視図である。
【図４】下部より見た分解斜視図である。
【図５】上部より見た斜視図である。
【図６】下部から見た斜視図である。
【図７】腕時計の１２時６時線に沿う断面図である。
【図８】図８は３―９時線に沿う断面図である。
【図９】長辺部の側面図である。
【図１０】短辺部の側面図である。
【図１１】平面図である。
【図１２】アンテナを通る線に沿う切断側面図である。
【図１３】アンテナを通る線に沿う切断平面図である。
【図１４】アンテナの磁芯部材の端面図である。
【図１５】本発明の第２実施形態を示す分解斜視図である。
【図１６】ケースの上部斜視図である。
【図１７】ケースの下部斜視図である。
【図１８】組立てられた腕時計の下部斜視図である。
【図１９】切断面図である。
【図２０】下部より見た平面図である。
【符号の説明】
１      アンテナ
２      電波時計受信機
３      ＣＰＵ
４      表示駆動部
５      入力装置
１０    ケース
１１    胴
１２    裏蓋
１３    風防
１４    ムーブメント
１５    文字板
１６    針
１７    バーアンテナ
１８    磁芯部材
２０    コイル
２１    導線
２２    縁枠
２３    ガラス
２５    腕時計ケース
２６    上部外装部
２７    下部外装部
３０    胴
３０ａ 段部
３１    裏蓋
３２   風防
３４   竜頭
３５   文字板
３６   指針
３７   ムーブメント
３８   バーアンテナ
３９   パッキン
４０   段部
４１   段部
４２   ねじ
４３   環状突起
４４   磁芯部材
４５   コイル
４６   パッキン
５０ａ、５０ｂ  突条
５０ｃ、５０ｄ  Ｌ形突条
５１    挿入部
５２    段部
５３    環状突出挿入部
５４    突出挿入部
５５    凹部
５６    外周壁
５７    上面開口部
５８    側面開口部
５８ａ  切欠
６０    突出部
６１    下面開口部
６２    連結脚
６３    固定板
６５    ねじ
６６    絶縁部材
６７    ねじ
６９    絶縁突起
７０    バンド
７０ａ  ピン
７１    下部外装部
７２    開口部
７３    上下方向の平面
７５    裏蓋
７６    挿入部
７７    凹部
【図１】
0004173687.tif 000002
【図２】
0004173687.tif 000003
【図３】
0004173687.tif 000004
【図４】
0004173687.tif 000005
【図５】
0004173687.tif 000006
【図６】
0004173687.tif 000007
【図７】
0004173687.tif 000008
【図８】
0004173687.tif 000009
【図９】
0004173687.tif 000010
【図１０】
0004173687.tif 000011
【図１１】
0004173687.tif 000012
【図１２】
0004173687.tif 000013
【図１３】
0004173687.tif 000014
【図１４】
0004173687.tif 000015
【図１５】
0004173687.tif 000016
【図１６】
0004173687.tif 000017
【図１７】
0004173687.tif 000018
【図１８】
0004173687.tif 000019
【図１９】
0004173687.tif 000020
【図２０】
0004173687.tif 000021